(57)【特許請求の範囲】
【請求項１】
補助ロープの先端に接続されるフック本体の先端に鈎部を設け、その鈎部の開口を開閉する揺動可能な片開翼を前記フック本体の腹部側に設け、フック本体の背部側には前記鈎部の開口を所定の範囲にわたって遮蔽し、前記片開翼の開放方向への揺動に連動して前記鈎部の開口を開放する方向に揺動する揺動可能な把持翼を設け、前記片開翼および把持翼のそれぞれを弾性部材によって閉鎖方向に向けて押圧し、前記把持翼に設けられた一対の側板の先端を前記鈎部が係合される足場ボルトの外周に係合させて足場ボルトの軸方向にフックが移動するのを防止するようにした足場ボルト用フックにおいて、前記把持翼に設けられた一対の側板の先端部に外側方に向けて折れ曲がると共に、フック本体の背部側から腹部側に向けて傾斜する係合片を形成し、その係合片の側板に対する折曲げ角度を９０°以上としたことを特徴とする足場ボルト用フック。
【請求項２】
前記係合片の一端と鈎部の内面間に前記補助ロープが挿通される孔と、鈎部が係合される孔とを有する８字環を掛け外し可能とする間隔を設け、前記片開翼と把持翼との間に前記間隔の大きさに相当する揺動方向の遊びを設けたことを特徴とする請求項１に記載の足場ボルト用フック。
【発明の詳細な説明】
【０００１】
【発明の属する技術分野】
この発明は、柱上において配線工事あるいは電気工事を行なう場合に使用される足場ボルト用フックに関するものである。
【０００２】
【従来の技術】
一般に、柱上において作業を行なう場合、Ｕ字吊り用のロープを有する柱上安全帯とともに補助ロープが使用される。この補助ロープは柱上安全帯の胴締めベルトに取付けられた環体に接続され、先端部には電柱に設けられた足場ボルトに対して係合可能なフックが取付けられている。
【０００３】
柱上での作業に際しては、柱上安全帯のロープで電柱を抱き込むＵ字吊り状態で作業を行ない、作業位置の変更に際しては、袖看板等の障害物がある場合、補助ロープの先端のフックを足場ボルトに係合して安全性を確保し、その後、柱上安全帯のロープを外して移動を行なうようにしている。
【０００４】
ここで、足場ボルトは先端に大径部を有し、足場ボルトに係合したフックはその大径部によって抜け止めされるようになっている。
【０００５】
このため、足場ボルトの先端部にフックが係合されていても、フックは足場ボルトから外れるおそれはないが、万一足を踏み外した落下時には、足場ボルトにきわめて大きい衝撃荷重が付与されるため、足場ボルトが折れ曲がり、あるいは折損するおそれがある。
【０００６】
このため、フックは足場ボルトの電柱の表面に近い根元部に係合すること、との指示がなされている。
【０００７】
ところで、従来から知られているフックにおいては、足場ボルトに係合される鈎部の開口が足場ボルトの外径より大きいため、足場ボルトの根元部にフックが係合されていたとしても、作業位置の変更に伴う補助ロープの揺れ動き等によりフックが足場ボルトの先端側に移動して係合位置を維持することができないという問題があった。
【０００８】
そのような問題点を解決するため、実用新案登録第２５８６９２２号公報においては、足場ボルトに対する係合位置を維持し得るようにした足場ボルト用フックを提案している。この足場ボルト用フックは、フック本体の鈎部開口を開閉する揺動可能な片開翼をフック本体の腹部側に、その片開翼の開放方向の揺動に連動して開放方向に揺動する把持翼をフック本体の背部側にそれぞれ設け、前記把持翼の先端部を鈎部が係合される足場ボルトの外周に押圧係合させてフックが足場ボルトの軸方向（横方向）に移動するのを防止するようにしている。
【０００９】
【発明が解決しようとする課題】
ところで、上記公報に記載された足場ボルト用フックにおいては、把持翼に設けられた一対の側板の先端縁を足場ボルトの外周面に係合させてフックの横方向の移動を防止するようにしており、各側板の足場ボルトの外周面に対する係合位置間の幅寸法が数ｍｍ程度ときわめて小さい。
【００１０】
このため、作業位置の変更に伴って補助ロープが揺れ動くと、フックが足場ボルトに対する係合位置を中心にして傾き、把持翼が開放方向に揺動してフックが横方向にずれ動くおそれがあり、係合位置を確保するうえにおいて改善すべき点が残されている。
【００１１】
ここで、把持翼を閉鎖方向に向けて押圧するスプリング等の弾性部材の押圧力を高めることにより、フックの横方向へのずれ動きを防止することができるが、この場合、片開翼の開放に際して、その片開翼を閉鎖方向に向けて押圧する弾性部材と把持翼を閉鎖方向に向けて押圧する弾性部材の２つの弾性部材の押圧力の合力より大きい操作力を片開翼に付与する必要が生じ、操作性が悪くなる。
【００１２】
一般に、補助ロープには、そのロープが挿通される孔と、フックが係合される孔を有する８字環が取付けられ、前記補助ロープを電柱の腕木等にかけ回す使用の際に、８字環にフックを係合して、補助ロープの先端に係合用のループを設けるようにしている。このとき、片開翼を開放して鈎部の開口を開放する必要があり、その際、前記と同様に、片開翼には、その片開翼を押圧する弾性部材と押圧力と把持翼を押圧する弾性部材の押圧力の合力を超える操作力を付与する必要があるため、操作性に問題がある。
【００１３】
この発明の第１の課題は、足場ボルトに係合させたフックの横移動阻止効果の向上を図ることである。
【００１４】
また、この発明の第２の課題は、８字環にフックを係合する際の操作性の向上を図ることである。
【００１５】
【課題を解決するための手段】
上記第１の課題を解決するため、第１の発明においては、補助ロープの先端に接続されるフック本体の先端に鈎部を設け、その鈎部の開口を開閉する揺動可能な片開翼を前記フック本体の腹部側に設け、フック本体の背部側には前記鈎部の開口を所定の範囲にわたって遮蔽し、前記片開翼の開放方向への揺動に連動して前記鈎部の開口を開放する方向に揺動する揺動可能な把持翼を設け、前記片開翼および把持翼のそれぞれを弾性部材によって閉鎖方向に向けて押圧し、前記把持翼に設けられた一対の側板の先端を前記鈎部が係合される足場ボルトの外周に係合させて足場ボルトの軸方向にフックが移動するのを防止するようにした足場ボルト用フックにおいて、前記把持翼に設けられた一対の側板の先端部に外側方に向けて折れ曲がると共に、フック本体の背部側から腹部側に向けて傾斜する係合片を形成し、その係合片の側板に対する折曲げ角度を９０°以上とした構成としたのである。
【００１６】
上記のように構成すれば、片開翼を開放方向に押圧し、その片開翼とこれに連動して揺動する把持翼のそれぞれを開放し、フック本体の鈎部を足場ボルトに係合して片開翼の押圧を解除すると、把持翼に設けられた一対の係合片の外側エッジが足場ボルトに係合し、その係合によってフックが足場ボルトの軸方向に移動するのが防止される。
【００１７】
このように、一対の係合片の外側エッジを足場ボルトの外周面に係合させることにより、把持翼に設けられた一対の側板の先端縁を足場ボルトの外周面に係合させる場合に比較して、係合位置間の寸法が長くなり、フック本体の後端部に接続される補助ロープの揺れ動き等によってフック本体が傾くのを防止することができる。このため、フックの横移動を阻止する効果がきわめて高く、足場ボルトの軸方向にフックが移動するのを確実に阻止することができる。
【００１８】
また、前記第２の課題を解決するため、第２の発明においては、前記第１の発明に係る足場ボルト用フックにおいて、前記係合片の一端と鈎部の内面間に前記補助ロープが挿通される孔と、鈎部が係合される孔とを有する８字環を掛け外し可能とする間隔を設け、前記片開翼と把持翼との間に前記間隔の大きさに相当する揺動方向の遊びを設けた構成を採用したのである。
【００１９】
上記のように構成すれば、片開翼を押圧し、その片開翼を把持翼との間に形成された遊びが無くなるまで揺動させることにより、８字環の孔に鈎部を係合させることができる。このとき、片開翼は、その片開翼を押圧する弾性部材を圧縮変形させるだけでよく、把持翼を押圧する弾性部材を圧縮変形させる必要がないため、片開翼の開放に要する操作力は小さく、操作性の向上を図ることができる。
【００２０】
【発明の実施の形態】
図１に示すように、フック本体１は先端部に鈎部２を有し、後端部にはロープ連結孔３が形成され、そのロープ連結孔３に図２に示す補助ロープＬが連結される連結具４が取付けられている。
【００２１】
フック本体１の腹部側には、片開翼５が設けられている。片開翼５は一対の側板５ａを有し、その側板５ａの後端部がフック本体１の後端部にピン６を介して揺動自在に支持されている。この片開翼５はピン６を中心とする揺動によって鈎部２の開口を開閉し、フック本体１の腹部との間に設けられたスプリングから成る弾性部材７によって鈎部２を閉じる方向に向けて押圧されている。
【００２２】
片開翼５に設けられた一対の側板５ａには、ピン６を中心とする円弧状の長孔８と、その長孔８のフック本体１側の端部から片開翼５の後端方向に向く係合孔９とが形成されている。
【００２３】
フック本体１の背部には、後端側に補助翼１０と、先端側に把持翼１１とが設けられている。補助翼１０はＬ字形の一対の側板１０ａを有し、その側板１０ａの中央部がフック本体１にピン１２を介して揺動自在に支持されている。
【００２４】
一対の側板１０ａの先端部は片開翼５の外側面に臨み、その先端部間に係合ピン１３が設けられている。係合ピン１３は片開翼５に設けられた係合孔９に挿通される状態において片開翼５を閉鎖状態でロックし、長孔８の一端部に臨む状態で片開翼５のロックを解除して、片開翼５の開閉を自由とする。
【００２５】
上記補助翼１０は、フック本体１の背部との間に設けられたスプリングから成る弾性部材１４によって係合ピン１３が係合孔９に嵌るロック方向に向けて押圧されている。
【００２６】
把持翼１１は、フック本体１の背部に対向配置される板体１１ａの両側に一対の側板１１ｂを設けている。一対の側板１１ｂの後端部は補助翼１０を支持する前記ピン１２によって回転自在に支持されている。
【００２７】
把持翼１１は、ピン１２に支持されたキックばねから成る弾性部材１５によって板体１１ａがフック本体１の背部に当接する方向（閉鎖方向）に付勢され、その板体１１ａがフック本体１の背部に当接する状態で一対の側板１１ｂの先端部は鈎部２の開口を所要の範囲にわたって遮蔽するようになっている。
【００２８】
把持翼１１における一対の側板１１ｂの先端には外側方に向けて折れ曲がる一対の係合片１６が設けられている。係合片１６はフック本体１の背部側から腹部側に向けて傾斜し、その腹部側の端と鈎部２の内面間に図２に示す８字環１８をかけ外し可能とする間隔が設けられている。
【００２９】
ここで、８字環１８は、２つの孔１８ａ、１８ｂを有し、一方の孔１８ａに補助ロープＬが挿通され、他方の孔１８ｂはフック本体１の鈎部２が係合可能とされている。
【００３０】
図４に示すように、一対の係合片１６の側板１１ｂに対に対する折曲げ角度αは９０°以上とされている。
【００３１】
把持翼１１における一対の側板１１ａの一側中央部には連動ピン１９が設けられている。この連動ピン１９は片開翼５を開放方向に揺動させたとき、その片開翼５で押圧されるようになっており、上記連動ピン１９と片開翼５との間に遊びδが設けられている。この遊びδは、前記係合片１６の端と鈎部２の内面間に形成された間隔の大きさに相当し、前記遊びδが無くなるまで片開翼５を揺動させることによって８字環１８の孔１８ｂに鈎部２をかけ外しし得るようになっている。
【００３２】
実施の形態で示す足場ボルト用フックは上記の構造から成り、図３および図４は、電柱に設けられた足場ボルトＡにフックを係合させた状態を示す。そのフックの係合に際しては、補助翼１０を握り、係合ピン１３が係合孔９から長孔８の端部に臨むロック解除位置まで補助翼１０を揺動させたのち、片開翼５を押圧して開放方向に揺動させ、その片開翼５により連動ピン１９を押圧して把持翼１１を開放方向に揺動させる。鈎部２の開口を開放した状態で、その鈎部２を足場ボルトＡに係合し、その係合後に、片開翼５の押圧を解除する。
【００３３】
片開翼５の押圧を解除すると、弾性部材７の押圧によって片開翼５は閉鎖方向に揺動して鈎部２の開口を閉じ、一方、把持翼１１は弾性部材１５の押圧により閉鎖方向に揺動し、その揺動途中において、一対の係合片１６が足場ボルトＡに係合する。このとき、係合片１６は把持片１１の側板１１ｂに対する折曲げ角度αが９０°以上であるため、係合片１６の外側のエッジ１６ａが足場ボルトＡの外周面に係合し、その係合によってフックは係合状態に保持される。
【００３４】
このように、把持片１１の側板１１ｂの先端に設けた一対の係合片１６の外側エッジ１６ａを足場ボルトＡの外周面に係合させることにより、フックが足場ボルトＡの軸方向に移動しようとすると、上記エッジ１６ａが足場ボルトＡに食い込むように作用し、足場ボルトＡの軸方向にフックが移動するのを防止することができる。
【００３５】
また、一対の係合片１６の外側エッジ１６ａを足場ボルトＡの外周面に係合させることにより、把持翼の一対の側板の先端縁を足場ボルトＡの外周面に係合させるようにした従来のフックに比較して係合位置間の寸法を大きくとることができる。このため、電柱の昇降時に補助ロープＬが揺れ動いてもフックに傾きが生じるという不都合の発生はなく、フックは係合位置において安定よく保持される。
【００３６】
足場ボルトＡに対するフックの係合状態において、作業者が万一落下し、補助ロープＬが緊張して作業者が受け止められたときの衝撃、あるいはその衝撃による足場ボルトＡの折れ曲がりによってフックが足場ボルトＡの先端側に移動した場合、一対の係合片１６の一方が足場ボルトＡの頭部ａに当接し、その当接によって足場ボルトＡからフックが外れ落ちるのが防止される。
【００３７】
補助ロープＬの先端部を電柱の腕木等にかけ回す場合には、補助翼１０をロック解除位置まで揺動させたのち、図２に示すように、片開翼５を把持翼１１の遊びδが無くなるまでその片開翼５を開放方向に揺動させて鈎部２を開放させ、その鈎部２を８字環１８の孔１８ｂに係合させたのち、片開翼５の押圧を解除して、弾性部材７の押圧力により片開翼５を鈎部２の開口を閉じる閉鎖位置まで揺動させる。
【００３８】
このように、８字環１８の係合孔１８ｂに鈎部２を係合させる場合には、片開翼５をその片開翼５を押圧する弾性部材７の弾性に抗して遊びδが無くなるまで揺動させるだけでよく、把持翼１１を閉鎖方向に向けて押圧する弾性部材１５を押圧変形させる必要がないため、小さな操作力によって片開翼５を開放方向に揺動させることができ、操作性の向上を図ることができる。
【００３９】
【発明の効果】
以上のように、この発明においては、把持翼に設けられた一対の側板の先端に外側方に折れ曲がる一対の係合片を設け、その係合片の側板に対する折曲げ角度を９０°以上として、足場ボルトの外周面に一対の係合片の外側エッジを係合させるようにしたので、足場ボルトに係合させたフックが足場ボルトの軸方向に移動し、あるいは補助ロープの揺れ動きによって傾きが生じるのを防止することができ、フックの横移動阻止効果の向上を図ることができる。
【００４０】
また、片開翼と、この片開翼の開放方向への揺動に連動して開放方向に揺動する把持翼との間に遊びを設けたことにより、８字環の孔に鈎部を係合させる際には、片開翼を遊びが無くなるまで開放方向に揺動させるだけでよく、片開翼を小さな操作力によって簡単に開放させることができ、操作性の向上を図ることができる。
【図面の簡単な説明】
【図１】この発明に係る足場ボルト用フックの実施の形態を示す一部切欠正面図
【図２】図１に示す足場ボルト用フックの鈎部を８字環に係合させる状態の正面図
【図３】図１に示す足場ボルト用フックを足場ボルトに係合させた状態の正面図
【図４】図３のIV−IV線に沿った断面図
【符号の説明】
１  フック本体
２  鈎部
５  片開翼
７  弾性部材
１１  把持翼
１１ｂ  側板
１５  弾性部材
１６  係合片
１８  ８字環
【図１】
0004521960.tif 000002
【図２】
0004521960.tif 000003
【図３】
0004521960.tif 000004
【図４】
0004521960.tif 000005